(57)【要約】      （修正有）【課題】画像記録装置において、少ない部品点数で、電源ＯＮ時や画像記録開始時等の必要な際にのみ、排紙トレイが自動的に開くようにする。【解決手段】記録部３１ａの走査によって排紙トレイ４５の解除スイッチ７２を押すことで、排紙トレイ４５のロックを解除するようにした。その結果、排紙トレイ４５が画像記録時以外で記録シートの搬送に使用するローラ等が回転した場合でも無駄に開くことがなく、ソレノイドような高価な部品を使用しなくても、電源ＯＮ時や画像記録開始時等の必要な際にのみ自動的に開くことができる。【選択図】図１１
2010017998.tif 000002
【特許請求の範囲】
【請求項１】
画像を記録するための記録メディアを給紙するための給紙部と、
給紙された記録メディアを搬送するための搬送部と、
搬送された記録メディアにインクを吐出する記録部を備えたインクジェット記録装置において、
前記記録部の走査でスイッチを押すことができる記録部を有することを特徴とする
インクジェット記録装置。
【請求項２】
記録メディアの種類や記録部の動作によって画像記録高さを変更できる記録部の走査で、
ひとつまたは複数のスイッチを押すことができる記録部を有することを特徴とする
請求項１に記載のインクジェット記録装置。
【請求項３】
記録部の走査で押されたスイッチで排紙トレイのロックを解除し、自動的に排紙トレイを開けることを特徴とする請求項１または請求項２に記載のインクジェット記録装置。
【請求項４】
インク残量検知を行なう際にスイッチを押すことを特徴とする請求項１〜請求項３のいずれかに記載のインクジェット記録装置。
【発明の詳細な説明】
【技術分野】
【０００１】
本発明は、インクジェットプリンタなどの記録ヘッドの往復運動によって画像を形成することが出来る画像記録装置に関するものである。
【背景技術】
【０００２】
従来の画像記録装置の中には、電源ＯＮや画像記録が開始されると排紙トレイが自動的に開くものがある。これらの記録装置は排紙トレイの回転軸に設けられたストッパをソレノイドで解除するものや、記録シートの搬送のために使用しているローラの回転によって開くものである。
【０００３】
上記の例として、下記特許文献１をあげることが出来る。
【特許文献１】特開平08-067395号公報
【発明の開示】
【発明が解決しようとする課題】
【０００４】
従来のような構成であると、部品点数が多くなり、またソレノイド等を使用するため非常に高価である。また、搬送のために使用しているローラの回転によって開くものに関しても排紙トレイが開く必要のないときにローラが回転してしまうと、無駄に排紙トレイが開いてしまいユーザーにとっては排紙トレイを閉め直すという不必要な動作が発生してしまう。
【課題を解決するための手段】
【０００５】
本発明は、上記課題を解決するために以下の構成を備える。
【０００６】
画像を記録するための記録メディアを給紙するための給紙部と、給紙された記録メディアを搬送するための搬送部と、搬送された記録メディアにインクを吐出する記録部を備えたインクジェット記録装置において、前記記録部の走査でスイッチを押すことができる記録部を有することを特徴とする。
【０００７】
前記給紙部、搬送部、記録部を備えたインクジェット記録装置において、記録メディアの種類や記録部の動作によって画像記録高さを変更できる記録部の走査でひとつまたは複数のスイッチを押すことができる記録部を有することを特徴とする。
【０００８】
前記給紙部、搬送部、記録部を備えたインクジェット記録装置において、記録部の走査で押されたスイッチで排紙トレイのロックを解除し、自動的に排紙トレイを開けることを特徴とする。
【０００９】
前記給紙部、搬送部、記録部を備えたインクジェット記録装置において、画像記録高さを変更できる記録部の走査で押されたひとつまたは複数のスイッチで排紙トレイのロックを解除し、自動的に排紙トレイを開けることを特徴とする。
【００１０】
前記給紙部、搬送部、記録部および該記録部の走査でスイッチを押すことができる記録装置において、インク残量検知を行なう際にスイッチを押すことを特徴とする。
【発明の効果】
【００１１】
以上説明したように本発明によれば、記録部の走査によって排紙トレイの解除スイッチを押すことで、排紙トレイが画像記録時以外で記録シートの搬送に使用するローラ等が回転しても無駄に開くことがなく、ソレノイドのような高価な部品を使用する必要もなく、電源ＯＮ時や画像記録開始時等の必要な際にのみ自動的に開くことができる。
【発明を実施するための最良の形態】
【００１２】
次に、本発明の詳細を実施例の記述に従って説明する。
【実施例１】
【００１３】
本発明に係る第１の実施形態である画像読取記録装置について説明する。
【００１４】
本実施形態に係る画像読取記録装置を図に従って説明する。
【００１５】
図１は、本実施形態の斜視図である。図１に示すように、パネル部１００、スキャナ部２００、エンジン部３００により構成されている。各部について順に説明する。
【００１６】
まず、パネル部１００について説明する。
【００１７】
図２はパネル部の拡大図、図３はＬＣＤを持ち上げた図、図４はパネルユニットのストッパ説明図である。
【００１８】
構造として、パネルカバー左１０１aと、パネルカバー右１０１ｂに各キー１０２がはまっている。なお、カラースタートキー１０２ａ、モノクロスタートキー１０２ｂ、ストップキー１０２ｃ、十字キー１０２ｄ、モードキー、電源キー１０２ｅ、ファンクションキー１０２ｆ、が、それぞれ１つ以上のキーが一体的に構成されており、パネルカバー１０１の中に取り付けてある。パネル基板（不図示）上には、タクトスイッチ（不図示）がキー１０２の下に半田付けされている。
【００１９】
ＬＣＤユニット１０３の中には、ＬＣＤモジュール（不図示）と電気基板（不図示）が内蔵されており、透明部材のＬＣＤ窓１０３ａ表面に取り付けてある。ＬＣＤユニット１０３は、ＬＣＤヒンジ１０３ｂを中心に回転できるように構成されており、ユーザーが操作できるようになっている。
【００２０】
また、図３に示すように、ＬＣＤユニット１０３に開閉角は最大で水平面に対して、１１０度程度に設定してある。これらの回転ストッパは、図４のＬＣＤユニットのストッパリブ１０３ｃとパネルカバーのストッパ溝（不図示）がぶつかることにより、この角度を維持している。
【００２１】
このＬＣＤユニット１０３を１１０度以上開けようと、無理に引っ張ると、ＬＣＤユニット１０３の後ろにわずかな隙間を持つように設計されており、ストッパが壊れる前に干渉するようになっている。また、通常の状態では、上記隙間が１ｍｍ程度あり、開閉によるキズが入らないように出来ている。
【００２２】
パネル部１００は、全体として、スキャナ部２００に取り付ける。
【００２３】
次にスキャナ部２００の説明をする。
【００２４】
図４は、原稿をセットする際の本体図で、原稿を裏向きにセットするガラス２０１がある。ガラス２０１はガラスカバー２０２により、上から押えられている。原稿の浮きを押えるスキャナ圧板２０３と、スポンジと白色シートで構成されている圧板白シート２０４スポンジフレーム２０４ａに取り付けてあり、スキャナ圧板２０３が圧板ヒンジ２０５を介して取り付けられている。
【００２５】
図５は図４からガラス２０１、ガラスカバー２０２を外した状態で、スキャナ部２の内部構造がわかるようにしたものである。ＣＣＤ読取ユニット２０６は、左端、右端に移動したときの両方の絵が書かれている。
【００２６】
これらの内部部品はすべてスキャナフレーム２０７に取り付けられている。画像を読取るＣＣＤ読取ユニット２０６が、軸２０８とレール２０９の上をガイドされて動くようになっている。また、ＣＣＤ読取ユニット２０６はモータ（不図示）を動力として、駆動ギア部２１０で減速され、タイミングベルト２１１を介して駆動されている。タイミングベルト２１１は駆動ギア部２１０の対向部のプーリ（不図示）に掛けられている。
【００２７】
これらの動作について説明すると、コピーやＰＣからのスキャン動作の時に、ＣＣＤ読取ユニット２０６が、矢印Ｂの方向に駆動され、ガラス２０１を介して原稿を読取る。
【００２８】
次に、記録装置のエンジン部３００について説明する。
【００２９】
記録エンジン部概要
本発明の実施形態に適用する記録装置のエンジン部３００概要を説明する。
【００３０】
この実施形態における記録装置は、インクジェット方式を採るカラー記録装置であって、その要部は、図６に示すような構造の記録手段を有している。
【００３１】
図６は、本発明の各実施形態における記録装置のエンジン部の要部機構を示す概略斜視図、図７は記録装置の概略断面図である。
【００３２】
エンジン部３００は給紙部１、搬送部２、キャリッジ部３、排紙部４、回復装置部５、キャリッジ昇降機構部６から構成されている。
【００３３】
各腰部機構をそれぞれ説明する。
【００３４】
給紙部１
給紙部１は記録シートＰを積載する圧板１１、記録シートＰを給紙する給紙ローラ１２、記録シートPを分離する分離ローラ１３a、記録シートPを積載位置に戻す為の戻しレバー１４、等がＡＳＦベース１５に取り付けられる構成となっている。
【００３５】
積載された記録シートPを保持する為の給紙トレイ１６が、ＡＳＦベース１５または外装に取り付けられている。給紙トレイ１６は多段式で使用時は引出して用いる。
【００３６】
給紙ローラ１２は断面円弧の棒状をしている。用紙基準よりに1つの分離ローラゴムが設けられており、これによって記録シートＰを給紙する。給紙ローラ１２への駆動は、給紙部１、遊星ギア（不図示）によって伝達される。
【００３７】
前記圧板１１には可動サイドガイド１７が移動可能に設けられて、記録シートＰの積載位置を規制している。圧板１１はＡＳＦベース１５に結合された回転軸を中心に回転可能で、圧板バネ（不図示）により給紙ローラ１２に付勢される。
【００３８】
給紙ローラ１２と対向する圧板１１の部位には、積載最終近くのの記録シートＰの重送を防止する人工皮等の摩擦係数の大きい材質からなる分離シート（不図示）が設けられている。圧板１１は圧板カム（不図示）によって、給紙ローラ１２に、当接、離間できるように構成されている。
【００３９】
さらに、ＡＳＦベース１５には、記録シートＰを一枚ずつ分離するための分離ローラ１３aを取り付けた分離ローラホルダ１３が分離ＡＳＦベース１５に設けられた回転軸を中心に回転可能で、分離ローラバネ（不図示）により給紙ローラ１２に付勢される。
【００４０】
分離ローラ１３aは、クラッチバネ（不図示）が取り付けられ、所定以上の負荷がかかると、分離ローラ１３aが取り付けられた部分が、回転できる構成になっている。分離ローラ１３aは分離ローラリリースシャフト（不図示）とコントロールカム（不図示）によって、給紙ローラ１２に、当接、離間できるように構成されている。これらの圧板１１、戻しレバー１４、分離ローラ１３aの位置はASFセンサ２９によって検知されている。
【００４１】
また、記録シートPを積載位置に戻す為の戻しレバー１４は、回転可能にＡＳＦベース１５に取り付けられ、解除方向に戻しレバーバネ（不図示）で付勢されている。記録シートPを戻す時は、前記コントロールカム（不図示）によって回転するように構成されている。
【００４２】
通常の待機状態では、圧板１１は圧板カム（不図示）でリリースされ、分離ローラ１３aはコントロールカム（不図示）でリリースされ、戻しレバー１４は記録シートPを戻し、積載時に記録シートPが奥に入らないように、積載口を塞ぐような積載位置に設けられている。
【００４３】
この状態から、給紙が始まると、モータ駆動によって、まず、分離ローラ１３aが給紙ローラ１２に当接する。そして、戻しレバー１４がリリースされ、圧板１１が給紙ローラ１２に当接する。
【００４４】
この状態で、記録シートPの給紙が開始される。記録シートPはＡＳＦベース１５に設けられた前段分離部（不図示）で制限され、記録シートPの所定枚数のみが給紙ローラ１２と分離ローラ１３aから構成されるニップ部に送られる。送られた記録シートPはこのニップ部で分離され、最上位の記録シートPのみが搬送される。
【００４５】
記録シートPが、後述の搬送ローラ２１、ピンチローラ２２aまで到達すると、圧板１１は圧板カム（不図示）によって、分離ローラ１３aはコントロールカム（不図示）によって、リリースされる。
【００４６】
戻しレバー１４はコントロールカム（不図示）によって、積載位置に戻る。この時、給紙ローラ１２と分離ローラ１３aから構成されるニップ部に到達していた記録シートPを積載位置まで、戻すことができる。
【００４７】
搬送部２
曲げ起こした板金からなるシャーシ８に搬送部２が取り付けられている。搬送部２は記録シートＰを搬送する搬送ローラ２１とＰＥセンサ２３を有している。
【００４８】
搬送ローラ２１は金属軸の表面にセラミックの微小粒をコーティングした構成であり、両軸の金属部分を軸受２１aで受け、シャーシ７に取り付けられている。搬送ローラ２１には回転時の負荷を与え安定した搬送が行えるために軸受２１aと搬送ローラ２１の間に搬送ローラテンションバネ（不図示）が設けられて、搬送ローラ２１を付勢することで所定の負荷を与えている。
【００４９】
搬送ローラ２１には従動する複数のピンチローラ２２aが当接して設けられている。ピンチローラ２２aはピンチローラホルダ２２に保持され、ピンチローラバネ２２ｂで付勢することで、ピンチローラ２２aが搬送ローラ２１に圧接し、記録シートＰの搬送力を生み出している。
【００５０】
この時、ピンチローラホルダ２２の回転軸がシャーシ７の軸受に取り付けられ、そこを中心に回転する。さらに、記録シートＰが搬送されてくる搬送部２の入口には記録シートＰをガイドするペーパーガイドフラッパ２４及びプラテン２５が配設されている。
【００５１】
また、ピンチローラホルダ２２にはシートＰの先端、後端検出をＰＥセンサ２３に伝えるＰＥセンサレバー２３aが設けられている。プラテン２５はシャーシ７に取り付けられ、位置決めされる。ペーパーガイドフラッパ２４は、搬送ローラ２１と勘合し、摺動する軸受部（不図示）を中心に回転可能で、シャーシ７に当接することで位置決めされる。
【００５２】
上記構成において、搬送部２に送られた記録シートＰはピンチローラホルダ２２及びペーパーガイドフラッパ２４に案内されて、搬送ローラ２１とピンチローラ２２aとのローラ対に送られる。
【００５３】
この時、ＰＥセンサレバ−２３aは、搬送されてきた記録シートＰの先端を検知して、これにより記録シートＰの印字位置を求めている。また、記録シートＰは搬送モータ（不図示）によりローラ対２１、２２aが回転することでプラテン２５上を搬送される。プラテン２５上には、搬送基準面になるリブが形成されており、記録ヘッド９とのギャップを管理しているのと、後述の排紙部と合わせて、記録シートPの浪打を制御することで、浪打が大きくならないように構成されている。
【００５４】
搬送ローラ２１への駆動は、DCモータからなる搬送モータ（不図示）の回転力をタイミングベルト（不図示）で搬送ローラ２１の軸上に設けたプーリ（不図示）に伝達している。
【００５５】
また、搬送ローラ２１の軸上には、搬送ローラ２１による搬送量を検出する為の１５０〜３００ｌｐｉのピッチでマーキングを形成したコードホイール２６が設けられており、それを読取るエンコーダーセンサ（不図示）がコードホイール２６の隣接する位置のシャーシ７に取り付けられている。
【００５６】
また、搬送ローラ２１の記録シート搬送方向における下流側には、画像情報に基づいて画像を形成する記録ヘッド９が設けられている。記録ヘッド９は各色インクタンク９２別体の交換可能なインクタンク９２が搭載されたインクジェット記録ヘッドが用いられている。
【００５７】
この記録ヘッド９は、ヒータ等によりインクに熱を与えることが可能となっている。そして、この熱によりインクは膜沸騰し、この膜沸騰による気泡の成長または収縮によって生じる圧力変化によって記録ヘッド９のノズル（不図示）からインクが吐出されて記録シートＰ上に画像が形成される。
【００５８】
キャリッジ部３
キャリッジ部３は、記録ヘッド９を取り付けるキャリッジ３１を有している。
【００５９】
そしてキャリッジ３１は、記録シートＰの搬送方向にたいして直角方向に往復走査させるためのガイドシャフト３２及びキャリッジ３１の後端を保持して記録ヘッド９と記録シートＰとの隙間を維持するガイドレール７１によって支持されている。
【００６０】
なお、このガイドシャフト３２はシャーシ７に取り付けられている。ガイドレール７１はシャーシ７に一体に形成されている。
【００６１】
また、キャリッジ３１はシャーシ７に取り付けられたキャリッジモータ３３によりタイミングベルト３３aを介して駆動される。このタイミングベルト３３aは、アイドルプーリ３３ｂによって調節、支持されている。
【００６２】
タイミングベルト３３aはキャリッジ３１とゴム等からなるダンパ３５を介して結合されており、キャリッジモータ３３等の振動を減衰することで、画像ムラ等を低減している。
【００６３】
そして、キャリッジ３１の位置を検出する為の１５０〜３００ｌｐｉのピッチでマーキングを形成したコードストリップ３４がタイミングベルト３３aと平行に設けられている。
【００６４】
さらに、それを読取るエンコーダーセンサ３４aがキャリッジ３１に搭載したキャリッジ基板（不図示）に設けられている。このキャリッジ基板（不図示）には、記録ヘッド９と電気的な接続を行なう為のコンタクト（不図示）も設けられている。
【００６５】
また、キャリッジ３１には、電気基板９から記録ヘッド９ヘッド信号を伝えるためのフレキシブル基板（不図示）を備えている。
【００６６】
記録ヘッド９をキャリッジ３１に固定する為に、キャリッジ３１には、位置決めの為の突き当て部（不図示）と押し付け、固定する為の押圧手段（不図示）が設けられている。押圧手段（不図示）はヘッドセットレバー３６に搭載され、ヘッドセットレバー３６を回転支点中心に回して、セットする際に、記録ヘッド９に作用する構成になっている。
【００６７】
さらに、キャリッジ３１には、記録ヘッド９からの吐出インクの記録シートP上での着弾ズレ自動で補正する為の自動レジ調整センサ（不図示）が取り付けられている。センサ（不図示）は反射型の光センサであり、発光素子より発光し、記録シートP上の所定の印字パターンへの反射光を受光することで、最適なレジ調整値を求めることができる。
【００６８】
上記構成において、記録シートＰに画像形成する時は、画像形成する行位置（記録シートＰの搬送方向の位置）にローラ対２１、２２aが記録シートＰを搬送すると共にキャリッジモータ３３によりキャリッジ３１を画像形成する列位置（記録シートＰの搬送方向と垂直な位置）に移動させて、記録ヘッド９を画像形成位置に対向させる。
【００６９】
その後、前述のように、電気基板８からの信号により記録ヘッド９が記録シートＰに向けてインクを吐出して画像が形成される。
【００７０】
排紙部４
排紙部４は、２本の排紙ローラ４１、４２、排紙ローラ４１、４２に所定圧で当接、従動して回転可能な如く構成された拍車４３、搬送ローラの駆動を排紙ローラ４１、４２伝達する為のギア列、等から構成されている。
【００７１】
排紙ローラ４１、４２はプラテン２５に取り付けられている。記録シートP搬送方向で下流側の排紙ローラ４１は金属軸に、複数のゴム部（不図示）を設けている。搬送ローラ２１からの駆動がアイドラギアを介し、排紙ローラ４１に伝達されることによって駆動される。
【００７２】
また、排紙ローラ４１の上流側に設けた排紙ローラ４２は樹脂の軸にエラストマーの弾性体（不図示）を複数取り付けた構成になっている。排紙ローラ４２への駆動は、排紙ローラ４１からアイドラギア（不図示）を介して伝達される。
【００７３】
拍車４３はSUSの薄板で周囲に凸形状を複数設けたものを樹脂部と一体成型され、拍車ホルダー４４に取り付けられている。コイルバネを棒状に設けた拍車バネ（不図示）によって、拍車４３は拍車ホルダー４４への取り付けと、排紙ローラ４１、４２等への押圧を行っている。
【００７４】
拍車は前記排紙ローラ４１、４２のゴム部、弾性体部に対応する位置に設けられ、主に記録シートPの搬送力を生み出す役割のものと、その間の前記排紙ローラ４１、４２のゴム部（不図示）、弾性体部（不図示）が無い位置に設け、主に記録シートPが印字される時の浮き上がりを抑える役割のものがある。
【００７５】
前記排紙ローラ４１、４２の間には、記録シートPの両端を持ち上げ、前記排紙ローラ４１、４２の先で記録シートPを保持し、先出の記録シートP上の印字を擦る事でダメージを与えない為の紙端サポート（不図示）が設けられている。先端にコロ（不図示）が設けられた樹脂部材が紙端サポートバネ（不図示）によって付勢され、コロ（不図示）を所定圧で、記録シートPに押し付けることで、記録シートPの両端を持ち上げ、こしを作ることで、保持できるように構成されている。
【００７６】
以上の構成によって、キャリッジ部５で画像形成された記録シートＰは、前記排紙ローラ４２と拍車４３とのニップに挟まれ、搬送されて排紙トレイ４５に排出される。排紙トレイ４５は、フロントカバー７５の裏側に配置されている。
【００７７】
排紙トレイ４５は先端に向けて高さが上がり、更にその両端は高さが高く構成され、排出された記録シートPの積載性向上、印字面の擦れ防止を可能としている。
【００７８】
回復装置部５
回復装置部５は、記録ヘッド９の回復装置を行なうポンプ５１と記録ヘッド９の乾燥を抑えるためのキャップ５２、記録ヘッド９のノズル周辺のフェース面を回復装置するブレード５３、などから構成されている。
【００７９】
回復装置部の主な駆動は、前述のAPモータ２７３から伝達される。基本は、一方向の回転でポンプが作動し、別のもう一方向の回転でブレード５３動作、キャップ５２昇降動作が作用するようにワンウェークラッチ（不図示）が設けられている。
【００８０】
ポンプ５１は２本のチューブ５１aをポンプコロ（不図示）でしごくことで負圧を発生させるように構成され、キャップ５２から、ポンプ５１へは、途中弁５４などを介して接続されている。
【００８１】
キャップ５２を記録ヘッド９密着させた状態でポンプ５１を作用させると記録ヘッド９から不要なインク等を吸引するように構成されている。キャップ５２部分には、吸引後のヘッド７フェース面のインク残りを削減する為に、キャップ吸収体５２aが設けられている。
【００８２】
その為、ここにインクが残り固着して弊害が出ないように、キャップ５２を開けた状態で、キャップ５２に残っているインクを吸引するようにしている。前記ポンプ５１で吸引された廃インクはボトムケースに設けられた廃インク吸収体（不図示）に吸収・保持される。
【００８３】
ブレード５３動作、キャップ５２昇降動作、等の一連の動作は、軸上に複数のカムを設けたメインカム（不図示）で制御される。それぞれの部位のカム、アームがメインカム（不図示）に作用され、所定の動作を行なう。メインカム（不図示）の位置は、フォトインタラプタ（不図示）等の位置検出センサ（不図示）で検出することができる。
【００８４】
キャップ５２の降時に、ブレード５３がキャリッジ３１走査方向に垂直に移動し、記録ヘッド９のフェース面を回復装置する。ブレード５３は、記録ヘッド９のノズル近傍を回復装置するものと、フェース面全体を回復装置するものと、複数設けられている。
【００８５】
そして、一番奥に移動した際に、ブレードクリーナ（不図示）へ当接することで、ブレード５３自身へ付着したインクなどを、除去することができる。
【００８６】
弁５４の開閉の駆動伝達・制御は排紙ローラ４１で行なっている。弁５４の選択を行なうことで、全色の一括吸引と色別の個別吸引を必要に応じて対応することが可能な構成になっている。弁位置検出は、弁位置検出センサ５４aで行なっている。
【００８７】
キャリッジ昇降機構部６
次に前記キャリッジ部３を記録シートＰの種類や印刷品位に応じて、記録シートＰとの間隔を近づけたり、遠ざけたりできるキャリッジ昇降機構部６の説明する。
【００８８】
前記給紙部１へ駆動を伝えている駆動元の逆回転側の駆動により、前記キャリッジ３１が直線往復運動をするガイドシャフト３２を回転させることでガイドシャフト３２の両端に取り付けられたガイドシャフトカムＲ，Ｌ，６１a，６１ｂによってガイドシャフト３２を水平に保ったまま昇降させることができる。
【００８９】
上記の機構により、記録シートＰの種類、印刷品位、キャリッジ３１の動作に応じて、前記キャリッジ部３の高さを調節できる。
【００９０】
上記キャリッジ昇降機構部６によって最適なキャリッジ高さで印字された記録シートＰは、排紙ローラ対４１，４３により、記録紙排紙トレイ４５に排出される。
【００９１】
上記が記録装置エンジン部を構成している要部である。これらの機構より下記に排紙トレイ自動開機構について詳細に説明する。
【００９２】
図８は、排紙トレイ４５の開機構の斜視図、図９および図１０は排紙トレイ開ユニット４５ａの拡大図と側面図である。図１１は、本発明の第１実施形態のキャリッジ昇降機構部６から排紙トレイ自動開機構までの駆動伝達の簡略図である。
【００９３】
まず、画像読取記録装置の電源ＯＮ、または印字開始されたらキャリッジ部３のイニシャル動作の中にインク残量検知ポジション（キャリッジ３１ｂ）へ移動する。
【００９４】
その後、インク残量検知を行ないに行ったタイミングでキャリッジ昇降機構部６によってキャリッジ３１の高さを上げ、更にアウェイ側にキャリッジ３１を移動させることで、キャリッジについているスイッチ用ボス３７でシャーシ側面についているフック解除用スイッチ７２を押すことができる。（キャリッジ３１ｃ）
次に、排紙トレイ開ユニット４５ａについて説明する。
【００９５】
排紙トレイ４５の回転中心の片方が、開ユニット４５ａに接続されている。図９，図１０で、カムギア４６aは、排紙トレイ４５につながっており、カムギア４６aの回転角度と、排紙トレイ４５の回転角度は同期している。閉まった状態では、ねじりコイルバネ４６ｂにより、排紙トレイ４５が、開方向に押圧されている。但し、フック４６ｃが、カムギア４６aの段差部にかかっているため、閉じた状態で保持されている。
【００９６】
上記でキャリッジ３１ｃ押されたスイッチ７２は上記カムギア４６aの段差にかかっているフック４６ｃを押すことでロックを解除されカムギア４６ａが矢印Ｈの方向に動くと、カムギア４６aは付圧されているため、矢印Ｋの方向に回転する。カムギア４６aは、最初、ねじりコイルバネ４６ｂにより付圧されているが、途中で付圧がなくなるようにしてある。これは、排紙トレイ４５の自重により、開くことができるためである。
【００９７】
また、カムギア４６aは、途中から、アイドラギア（不図示）を介して、オイルダンパ４６ｄと噛み合うようになる。これにより、排紙トレイ４５が開くスピードが遅くなり、排紙トレイ４５が着地したときの衝撃音を抑えることができる。
【００９８】
排紙トレイキー４７は、フック４６ｃを本体外部から、矢印Ｊの方向に押すことができるようにしてあり、自動開だけでなく、手動で、カムギア４６aのロックを解除することができ、排紙トレイ４５を開くことができる。
【００９９】
また、キャリッジ３１がスイッチを押しに行くタイミングもインク残量検知を行ないにインク残量検知ポジションに行った際に行なう事で時間短縮が可能である。
【実施例２】
【０１００】
本発明に係る第２の実施形態である画像読取記録装置について説明する。
【０１０１】
図１２に第２実施形態の簡略説明図を示す。
【０１０２】
第２実施形態は前記第１実施形態のキャリッジ昇降機構部６は省いた形態である。
【０１０３】
第１実施形態同様に、まず、画像読取記録装置の電源ＯＮ、または印字開始されたらキャリッジ部３のイニシャル動作の中にインク残量検知ポジション（キャリッジ３１ｂ）へ移動する。
【０１０４】
その後、インク残量検知を行ないに行ったタイミングで、更にアウェイ側にキャリッジ３１を移動させることで、キャリッジについているスイッチ用ボス３７でシャーシ側面についているフック解除用スイッチ７２を押すことができる。（キャリッジ３１ｃ）
【図面の簡単な説明】
【０１０５】
【図１】本発明の実施形態に係る画像読取記録装置の斜視図。
【図２】本発明の実施形態に係る画像読取記録装置のパネル部の拡大図。
【図３】本発明の実施形態に係る画像読取記録装置のパネル部のＬＣＤ回転図。
【図４】本発明の実施形態に係る画像読取記録装置の圧板を開いた状態図。
【図５】本発明の実施形態に係る画像読取記録装置の画像読取部のガラスを取り除いた図。
【図６】本発明の実施形態に係る画像読取記録装置のエンジン部の機構斜視図。
【図７】本発明の実施形態に係る画像読取記録装置のエンジン部の機構略断面図。
【図８】本発明の実施形態に係る画像読取記録装置の排紙トレイ開機構の斜視図。
【図９】本発明の実施形態に係る画像読取記録装置の排紙トレイ開機構拡大図。
【図１０】本発明の実施形態に係る画像読取記録装置の排紙トレイ開機構側面図。
【図１１】本発明の第１実施形態に係る画像読取記録装置の排紙トレイ開機構までの駆動伝達簡略図。
【図１２】本発明の第２実施携帯に係る画像読取記録装置の排紙トレイ開機構までの駆動伝達簡略図。
【符号の説明】
【０１０６】
Ｐ  記録シート
Ｘ  キャリッジ走査方向（主走査）
Ｙ  記録シート搬送方向（副走査）
Ｚ  キャリッジ昇降方向
Ｂ  ＣＣＤ読取ユニット走査方向
Ｈ  フックが解除される方向
Ｊ  排紙トレイキーを押す方向
Ｋ  フックが解除された際のカムギアの回転する方向
５００  画像読取記録装置
１００  パネル部
２００  スキャナ部
３００  エンジン部
１０１  パネルカバー
１０１ａ  パネルカバー左
１０１ｂ  パネルカバー右
１０１ｃ  パネルカバーのストップリブ
１０２  キー
１０２ａ  カラースタートキー
１０２ｂ  モノクロスタートキー
１０２ｃ  ストップキー
１０２ｄ  十字キー
１０２ｅ  電源キー
１０２ｆ  ファンクションキー
１０３  ＬＣＤユニット
１０３ａ  ＬＣＤ窓
１０３ｂ  ＬＣＤヒンジ
１０３ｃ  ＬＣＤユニットのストッパリブ
２０１  ガラス
２０２  ガラスカバー
２０３  スキャナ圧板
２０４  圧板白シート
２０４ａ  スポンジフレーム
２０５  圧板ヒンジ
２０６  ＣＣＤ読取ユニット
２０７  スキャナフレーム
２０８  軸
２０９  レール
２１０  駆動ギア
２１１  タイミングベルト
１１  圧板
１１ａ  圧板バネ
１２  給紙ローラ
１３  分離ローラホルダ
１３ａ  分離ローラ
１４  戻しレバー
１５  ＡＳＦベース
１６  給紙トレイ
１７  サイドガイド
２１  搬送ローラ
２１ａ  軸受
２２  ピンチローラホルダ
２２ａ  ピンチローラ
２２ｂ  ピンチローラバネ
２３  ＰＥセンサ
２３ａ  ＰＥセンサレバー
２４  ペーパーガイドフラッパ
２５  プラテン
２６  コードホイール
３１  キャリッジ
３１ａ  キャリッジ（ホームポジション）
３１ｂ  キャリッジ（インク残量検知ポジション）
３１ｃ  キャリッジ（スイッチポジション）
３２  ガイドシャフト
３３  キャリッジモータ
３３ａ  タイミングベルト
３３ｂ  アイドラプーリ
３４  コードストリップ
３４ａ  エンコーダーセンサ
３５  ダンパ
３６  ヘッドセットレバー
３７  スイッチ用ボス
４１  排紙ローラ
４２  排紙ローラ
４３  拍車
４４  拍車ホルダー
４５  排紙トレイ
４５ａ  排紙トレイ開ユニット
４６ａ  カムギア
４６ｂ  ねじりコイルバネ
４６ｃ  フック
４６ｄ  ダンパ
４７  排紙トレイキー
５１  ポンプ
５１ａ  ポンプチューブ
５２  キャップ
５２ａ  キャップ吸収体
５３  ブレード
５４  弁
５４ａ  弁位置センサ
６１ａ  ガイドシャフトカムＲ
６１ｂ  ガイドシャフトカムＬ
７  シャーシ
７２  フック解除用スイッチ
７３  インク残量検知センサ
７５  フロントカバー
７６  カートリッジドア
８  電気基板
９  記録ヘッド
９２  インクタンク
【図１】
2010017998.tif 000003
【図２】
2010017998.tif 000004
【図３】
2010017998.tif 000005
【図４】
2010017998.tif 000006
【図５】
2010017998.tif 000007
【図６】
2010017998.tif 000008
【図７】
2010017998.tif 000009
【図８】
2010017998.tif 000010
【図９】
2010017998.tif 000011
【図１０】
2010017998.tif 000012
【図１１】
2010017998.tif 000013
【図１２】
2010017998.tif 000014